(57)【要約】【課題】  予期せぬ突発的な力では本体からツメが容易に折れることがなく、しかも、意図してツメを折ろうとした場合に、本体からツメを容易に且つ確実に除去することができ、データの書き換え禁止を永続的に実現できるメモリカードを提供する。【解決手段】  本体１０にはデータの書き換え可能と認識される位置にツメ１１が設けられ、ツメ１１の短辺の一部と本体１０とが第１の接続部１２ａで接続され、ツメ１１の長辺の一部と本体１０とが第２の接続部１２ｂで接続されるメモリカードである。【選択図】        図３
0003216078.tif 000002
【実用新案登録請求の範囲】
【請求項１】
半導体素子を内蔵する本体を有するメモリカードであって、
前記本体にはデータの書き換え可能と認識される位置にツメが設けられ、前記ツメの短辺の一部と前記本体とを接続する第１の接続部と、前記ツメの長辺の一部と前記本体とを接続する第２の接続部とを有することを特徴とするメモリカード。
【請求項２】
本体は、第１の平板と第２の平板が貼り合わされて形成されており、ツメが前記第１の平板に第１の接続部及び第２の接続部により接続されていることを特徴とする請求項１記載のメモリカード。
【請求項３】
第１の接続部はツメの短辺の中央部に設けられ、第２の接続部は前記ツメの長辺において前記第１の接続部から遠い方の端部に設けられていることを特徴とする請求項１又は２記載のメモリカード。
【考案の詳細な説明】
【技術分野】
【０００１】
本考案は、半導体素子を内蔵するメモリカードに係り、特に、容易に且つ確実に書き換えを禁止できるメモリカードに関する。
【背景技術】
【０００２】
［先行技術の説明］
従来のメモリカードは、本体の特定位置にツメが形成されており、その特定位置にツメがあることでデータの書き換えが可能となり、その特定位置にツメがないことでデータの書き換えが禁止となるものであった。
具体的には、従来のメモリカードでは、本体と一体にツメが形成されているもの（ツメ一体型タイプ）と、ツメがスライドするもの（ツメスライドタイプ）とがあった。
【０００３】
［ツメ一体型タイプ］
従来のメモリカードで、本体にツメが一体に形成されているツメ一体型タイプでは、ツメの位置は固定であり、その位置にツメが形成されていることで、データの書き込み装置が、メモリカードにデータが書き換え可能であると認識するものである。
【０００４】
［ツメスライドタイプ］
また、従来のツメをスライドさせるツメスライドタイプのメモリカードは、ツメを特定の位置に設定することで、データの書き込み装置が、データの書き換えが可能と認識し、ツメをスライドさせることによりデータの書き換えが禁止と認識されるものである。
【０００５】
ツメ一体型タイプの従来のメモリカードでは、ツメが本体に固定されているので、データの書き換えが常時可能と認識されるものである。
ツメ一体型タイプのメモリカードをデータ書き換え禁止にするには、ツメを除去する必要があるが、ツメを折ることを想定した構成とはなっていないため、無理にツメを折ろうとすると、本体までも破損してしまうおそれがあった。
【０００６】
また、ツメスライドタイプでは、データの書き換え禁止の位置にツメをスライドできるが、データの書き換え可能の位置にツメをスライドさせて戻してしまうと、データの書き換えを容易に行うことができ、データの書き換えを永続的に禁止できる仕組みとなっていないものであった。
【０００７】
尚、関連する先行技術としては、特開２００３−００６６０３号公報「ＩＣカードおよびこのＩＣカードを有する情報処理装置」（特許文献１）、特開２００４−２５２６７２号公報「メモリカード用アダプタ及びその製造方法」（特許文献２）、実用新案登録第３２０２０５５号公報「メモリカード及びケース」（特許文献３）がある。
【０００８】
特許文献１には、ＩＣカードをＰＣ等に装着する時に、突出部にかかる曲げ力を逃す構造が示されている。
また、特許文献２には、小型メモリカードを一回り大きな大型のメモリカード用のソケットに接続するための構造が示されている。
【０００９】
また、引用文献３には、メモリカードにおいてデータの書き換え可能と認識される位置に設けたツメを折り易くして、書き換え不能の状態を容易に実現できる構造が示されている。
【先行技術文献】
【特許文献】
【００１０】
【特許文献１】特開２００３−００６６０３号公報
【特許文献２】特開２００４−２５２６７２号公報
【特許文献３】実用新案登録第３２０２０５５号公報
【考案の概要】
【考案が解決しようとする課題】
【００１１】
しかしながら、上記従来のメモリカードでは、意図してツメを折ろうとした場合には確実に且つ容易にツメを折ることができ、しかも、予期せぬ突発的な力ではツメが容易に折れないという、相反する課題を解決するものとはなっていないという問題点があった。
【００１２】
特許文献１及び特許文献２にはメモリカードのデータ書き換え可能／書き換え禁止を制御するツメを容易に除去することについては記載されていない。
特許文献３では、メモリカードの本体とツメとが、ツメの長辺部分で接続し、その接続部分に溝を形成したものであるため、その接続部分に対して予期せぬ力が加わると意図せずツメが折れてしまうことがあった。
【００１３】
本考案は上記実状に鑑みて為されたもので、予期せぬ突発的な力では本体からツメが容易に折れることがなく、しかも、意図してツメを折ろうとした場合に、本体からツメを容易に且つ確実に除去することができ、データの書き換え禁止を永続的に実現できるメモリカードを提供することを目的とする。
【課題を解決するための手段】
【００１４】
上記従来例の問題点を解決するための本考案は、半導体素子を内蔵する本体を有するメモリカードであって、本体にはデータの書き換え可能と認識される位置にツメが設けられ、ツメの短辺の一部と本体とを接続する第１の接続部と、ツメの長辺の一部と本体とを接続する第２の接続部とを有することを特徴とする。
【００１５】
本考案は、上記メモリカードにおいて、本体が、第１の平板と第２の平板が貼り合わされて形成されており、ツメが第１の平板に第１の接続部及び第２の接続部により接続されていることを特徴とする。
【００１６】
本考案は、上記メモリカードにおいて、第１の接続部はツメの短辺の中央部に設けられ、第２の接続部はツメの長辺において第１の接続部から遠い方の端部に設けられていることを特徴とする。
【考案の効果】
【００１７】
本考案によれば、本体にはデータの書き換え可能と認識される位置にツメが設けられ、第１の接続部がツメの短辺の一部と本体とを接続し、第２の接続部がツメの長辺の一部と本体とを接続するメモリカードとしているので、予期せぬ突発的な力では本体からツメが容易に折れることがないものの、意図してツメを折る場合には本体からツメを容易に且つ確実に除去でき、データの書き換え禁止を永続的に実現できる効果がある。
【図面の簡単な説明】
【００１８】
【図１】本メモリカードの表面の概略を示す全体図である。
【図２】本メモリカードの裏面の概略を示す全体図である。
【図３】本メモリカードのツメ部分の表面詳細図である。
【図４】本メモリカードのツメ及び第２の接続部の断面説明図である。
【考案を実施するための形態】
【００１９】
本考案の実施の形態について図面を参照しながら説明する。
［実施の形態の概要］
本考案の実施の形態に係るメモリカードは、半導体素子を内蔵する本体を有するメモリカードであって、本体にはデータの書き換え可能と認識される位置にツメが設けられ、当該ツメの短辺の一部と本体とを接続する第１の接続部と、ツメの長辺の一部と本体とを接続する第２の接続部とを有しているので、予期せぬ突発的な力では本体からツメが容易に折れることがないものの、意図してツメを折る場合には本体からツメを容易に且つ確実に除去でき、データの書き換え禁止を永続的に実現できるものである。
【００２０】
［本メモリカードの構成：図１、図２］
次に、本考案の実施の形態に係るメモリカード（本メモリカード）について図１、図２を参照しながら説明する。図１は、本メモリカードの表面の概略を示す全体図であり、図２は、本メモリカードの裏面の概略を示す全体図である。
本メモリカードは、図１、図２に示すように、表面では本体１０の左側面上側に、裏面では本体１０の右側面上側に書き換え可能及び書き換え禁止を制御するツメ１１が設けられている。
【００２１】
図１，２に示したツメ１１の位置は、データの書き込み装置が書き換え可能と認識する位置に設けられているものである。図１，２では、ツメ１１はスライドするものではなく、本体１０に一体に形成されており、ツメ１１を本体１０から折って除去することで、書き換え禁止と認識させるものである。
【００２２】
図１，２に示すように、書き換え可能及び書き換え禁止と認識される領域には、本体１０の一部を切り欠いた切り欠き部１３が形成されている。つまり、本体１０に対して側面の一部を切り欠いた凹部が切り欠き部１３となっている。
そして、その切り欠き部１３にツメ１１が納まるように取り付けられるものである。それも、切り欠き部１３において、書き換え可能と認識される位置にツメ１１が取り付けられている。
【００２３】
本メモリカードでは、特徴部分として、ツメ１１と本体１０とが、第１の接続部１２ａと第２の接続部１２ｂによって接続されている。
第１，２の接続部１２ａ，１２ｂは、本体１０からツメ１１を折って、ツメ１１を容易に除去するために形成されるものである。
具体的な構成については、後述する。
【００２４】
［本メモリカードのツメの詳細構成：図３］
次に、本メモリカードにおけるツメの部分の詳細な構成について図３を参照しながら説明する。図３は、本メモリカードのツメの部分の表面詳細図である。
図３に示すように、第１の接続部１２ａは、本体１０の切り欠き部１３の短辺の一方とツメ１１の短辺の一部を接続するよう形成されている。
また、第２の接続部１２ｂは、本体１０の切り欠き部分の長辺とツメ１１の長辺の一部を接続するよう形成されている。
【００２５】
具体的には、第１の接続部１２ａが、図３におけるツメ１１の上側短辺の中央部分と本体１０の切り欠き部１３の上側短辺の中央部分とを接続するように形成されている。
また、第２の接続部１２ｂが、図３におけるツメ１１の右側長辺の下側の端部分と本体１０の切り欠き部１３の中央部分とを接続するように形成されている。
つまり、第１の接続部１２ａと第２の接続部１２ｂとは離れて形成されている。
【００２６】
このように、第１の接続部１２ａと第２の接続部１２ｂとを離して形成しているのは、予期せぬ突発的な力がツメ１１の上側に加わった場合に、第１の接続部１２ａが破損して折れてしまっても、第２の接続部１２ｂは接続状態を維持でき、ツメ１１が除去されるのを防ぐためである。これにより、予期せぬ力への耐性を向上させるものである。
【００２７】
また、予期せぬ突発的な力がツメ１１の下側に加わった場合に、第２の接続部１２ｂが破損して折れてしまっても、第１の接続部１２ａは接続状態を維持でき、ツメ１１が除去されないようにするためである。
【００２８】
つまり、ツメ１１は、下側に力を加えて第２の接続部１２ｂを折って、更に上側に力を加えて第１の接続部１２ａを折るという２つの動作を行うか、または、第１の接続部１２ａを折って第２の接続部１２ｂを折るという２つの動作を行うことにより、除去できるものである。
従って、予期せぬ力によってツメ１１が折れてしまうことがないものの、第１の接続部１２ａと第２の接続部１２ｂの２箇所を折ることで、容易に確実にツメ１１を除去できるものである。
【００２９】
尚、予期せぬ力への耐性を向上させるために、第１の接続部１２ａをツメ１１の短辺の中央に設け、第２の接続部１２ｂをツメ１１の長辺の下側端部に設けたが、第１の接続部１２ａをツメ１１の短辺の左右の端部に設けてもよいし、第２の接続部１２ｂをツメ１１の長辺の中央部又は上側端部に設けても構わない。
また、第１，２の接続部１２ａ，１２ｂをそれぞれ１箇所での接続としたが、複数箇所で接続する構成であってもよい。
ツメ１１の短辺又は長辺の一方のみに接続部がある場合に比べて、予期せぬ力に対する耐性は向上するものである。
【００３０】
［本メモリカードのツメ及び第２の接続部の断面：図４］
次に、本メモリカードのツメ及び第２の接続部の断面について図４を参照しながら説明する。図４は、本メモリカードのツメ及び第２の接続部の断面説明図である。
本メモリカードは、プラスチック製の第１の平板１０ａと第２の平板１０ｂとが貼り合わされて形成され、内部に半導体を搭載したメモリ基板を内蔵している。
第１の平板１０ａが、図１の表面において、上側（表面）の平面の平板であり、第２の平板１０ｂが、下側（裏面）の平面の平板である。
【００３１】
そして、図４に示すように、ツメ１１と第１の平板１０ａが第２の接続部１２ｂにより接続している。尚、図４では、第１の接続部１２ａを示していないが、断面は同様の構成である。そして、ツメ１１、第１の接続部１２ａ、第２の接続部１２ｂ及び第１の平板１０ａは一体に製造されるものである。
【００３２】
図４では、第１の接続部１２ａと第２の接続部１２ｂの厚みをツメ１１及び第１の平板１０ａより薄くして折り易くしているが、接続部の面積が小さいため、同じ厚みであってもよい。
また、ツメ１１を第１の平板１０ａではなく、第２の平板１０ｂに接続させるようにしてもよい。
【００３３】
［実施の形態の効果］
本メモリカードによれば、本体１０にはデータの書き換え可能と認識される位置にツメ１１が設けられ、ツメ１１の短辺の一部と本体１０とが第１の接続部１２ａで接続され、ツメ１１の長辺の一部と本体１０とが第２の接続部１２ｂで接続されるものとしているので、予期せぬ突発的な力では本体１０からツメ１１が容易に折れることがないものの、意図してツメを折る場合には本体１０からツメ１１を容易に且つ確実に除去でき、データの書き換え禁止を永続的に実現できる効果がある。
【００３４】
また、本メモリカードによれば、第１の接続部１２ａをツメ１１の短辺の中央部に設け、第２の接続部１２ｂをツメ１１の長辺で第１の接続部１２ａから遠い方の端部に設けて、両接続を離すようにしているので、予期せぬ力が離れた２箇所の接続部に同時に加わる可能性が低いため、耐性を向上できる効果がある。
【産業上の利用可能性】
【００３５】
本考案は、予期せぬ突発的な力では本体からツメが容易に折れることがなく、しかも、意図してツメを折ろうとした場合に、本体からツメを容易に且つ確実に除去することができ、データの書き換え禁止を永続的に実現できるメモリカード及びケースに適している。
【符号の説明】
【００３６】
１０…本体、  １０ａ…第１の平面、  １０ｂ…第２の平板、  １１…ツメ、  １２ａ…第１の接続部、  １２ｂ…第２の接続部、  １３…切り欠き部
【図１】
0003216078.tif 000003
【図２】
0003216078.tif 000004
【図３】
0003216078.tif 000005
【図４】
0003216078.tif 000006